(57)【要約】【課題】  ディスク装置におけるシャーシケースの奥部に配設した印刷配線基板とディスクトレイに配設した印刷配線基板とを接続するフレキシブルケーブルが、ディスクトレイとシャーシケースとの間から露出しないようにし、フレキシブルケーブルの損傷を未然に防止する。【解決手段】  記録媒体を装填したディスクトレイをシャーシケース内で前進後退させてロード／アンロードするようにし、ディスクトレイとシャーシケースに配設された印刷配線基板をフレキシブルケーブルにより接続するようにしたディスク装置において、前記ディスクトレイをアンロードしたとき、該ディスクトレイの後端部の裏面に前記フレキシブルケーブルの可撓部が貼着して保持されるようにする。【選択図】  図１
2006120220.tif 000002
【特許請求の範囲】
【請求項１】
記録媒体を装填したディスクトレイをシャーシケース内で前進後退させてロード／アンロードするようにし、ディスクトレイとシャーシケースに配設された印刷配線基板をフレキシブルケーブルにより接続するようにしたディスク装置において、
前記ディスクトレイをアンロードしたとき、該ディスクトレイの後端部の裏面に前記フレキシブルケーブルの可撓部が貼着して保持されるようにしたことを特徴とするディスク装置。
【請求項２】
ディスクトレイの後端部の裏面および／またはフレキシブルケーブルの可撓部に粘着剤を塗布または粘着テープを貼設したことを特徴とする請求項１記載のディスク装置。
【発明の詳細な説明】
【技術分野】
【０００１】
本発明は、パーソナルコンピュータ、視聴覚機器などにおいて大量の情報を記録するための記録媒体である光ディスクをドライブするためのディスク装置に関するもので、ディスクトレイとシャーシケース間にフレキシブルケーブルが挟まれる不具合を解決するようにしたものである。
【背景技術】
【０００２】
一般にパーソナルコンピュータに代表される情報機器は、図５に示すように光ディスクをドライブするためのディスク装置１を搭載しており、このディスク装置により光ディスクＤに記録された情報の読み取り、または情報の書き込みが行われる。
【０００３】
図６は、光ディスクＤを装填したディスクトレイ２がシャーシケース内で前進後退するように構成したディスク装置１の外観を示すもので、ディスクトレイ２は光ディスクＤを収容するため浅皿状に形成されており、その中央に、直下にスピンドルモータ３の駆動軸に固定されたターンテーブル４が配設され、このターンテーブル４のクランプヘッド５により光ディスクの中心孔をクランプし、回転力を伝達するようにしている。
【０００４】
符号６はヘッドユニットであり、ディスクトレイ２の裏面に構成された駆動機構によりヘッドユニット全体がディスクトレイ２の直径方向に往復動し、その対物レンズ６ａから光ディスクＤにレーザビームが照射される。ディスクトレイ２の前端には外装を整えるためのベゼル７が装着されており、ディスクトレイ２をアンロードするための押釦８ならびにインジケータ７ａが表面に臨み、ディスクトレイ２をロードしてロックされた状態を強制的に解除するための通孔７ｂが形成されている。
【０００５】
前記ディスクトレイ２は、その両側縁がガイドレール９により遊嵌状態で支持されており、このガイドレール９は、ベースシャーシ１１とカバーシャーシ１２で一体構成されるシャーシケース１０の前記ベースシャーシ１１の側壁に固定された支持レール１３にスライド可能に支持され、シャーシケース１０内でディスクトレイ２の前進後退が可能となるようにしている。
【０００６】
このように構成されたディスク装置１では、図７（Ａ）に示すようにシャーシケース１０の奥部に電子部品を実装した印刷配線基板ＰＣＢＡ１と、ディスクトレイ２の裏面に電子部品を実装した印刷配線基板ＰＣＢＡ２が配設され、この印刷配線基板ＰＣＢＡ１と印刷配線基板ＰＣＢＡ２がフレキシブルケーブル２０で接続され、信号の授受が可能となるようにしている。
【０００７】
ところで上記のように構成されるディスク装置は薄型化の要求に伴い、シャーシケース１０の内部空間はきわめて狭小となり、フレキシブルケーブル２０が緩やかに撓むことができなくなる。このためディスクトレイ２がシャーシケース１０内へ進入するとき、フレキシブルケーブル２０がシャーシケース１０の開口部に接触することがある。この場合、シャーシケース１０との接触による抵抗でディスクトレイ２とシャーシケース１０との隙間から逃げ場を失ったフレキシブルケーブル２０の一部分が図７（Ｂ）に示すように装置外部へ押し出されて露出してしまうことがある。
【０００８】
このような状態になり、更にディスクトレイ２がシャーシケース１０内へ進入すると、ディスクトレイ２の後端部とシャーシケース１０の開口部でフレキシブルケーブル２０の露出した部分を挟んでしまうという問題を生ずる。このようにしてフレキシブルケーブル２０が挟まれると、ディスクトレイ２が完全にシャーシケース１０内に収納されないばかりか、フレキシブルケーブル２０に損傷を与えてしまう虞がある。
【０００９】
そこで本願発明の出願人は、フレキシブルケーブル２０の変形可能となる可撓部の表面に補強用膜を形成してこの部分の剛性を向上し、フレキシブルケーブル２０がディスクトレイ２とシャーシケース１０で挟まれるのを防止するようにした（特許文献１）。
【特許文献１】特開平１１−１４４４０３号公報
【発明の開示】
【発明が解決しようとする課題】
【００１０】
さらに本願発明の出願人は、ディスクトレイ２をシャシケース１０内へ進入させたときのフレキシブルケーブル２０の挙動を観察し、その可撓部がディスクトレイ２の裏面に接触することに着眼した。即ち、フレキシブルケーブル２０がディスクトレイ２の裏面に保持された状態となれば、フレキシブルケーブル２０の可撓部の装置外部への露出を防止することができ、可撓部の表面に補強用膜を形成した場合と同様にフレキシブルケーブル２０の損傷の危険を回避できることになる。
【課題を解決するための手段】
【００１１】
そこで本発明は、以下に述べる各手段により上記課題を解決するようにした。即ち、請求項１記載の発明では、記録媒体を装填したディスクトレイをシャーシケース内で前進後退させてロード／アンロードするようにし、ディスクトレイとシャーシケースに配設された印刷配線基板をフレキシブルケーブルにより接続するようにしたディスク装置において、前記ディスクトレイをアンロードしたとき、該ディスクトレイの後端部の裏面に前記フレキシブルケーブルの可撓部が貼着して保持されるようにする。
【００１２】
請求項２記載の発明では、上記請求項１記載の発明において、ディスクトレイの後端部の裏面および／またはフレキシブルケーブルの可撓部に粘着剤を塗布または粘着テープを貼設する。
【発明の効果】
【００１３】
本発明の請求項１記載の発明によれば、ディスクトレイの後端部の裏面でフレキシブルケーブルを保持するようにしたので、このフレキシブルケーブルの可撓部がディスクトレイとシャーシケースとの間から露出することなく、フレキシブルケーブルの損傷を未然に回避することができる。
【００１４】
また、請求項２記載の発明によれば、粘着剤の塗布たは粘着テープの貼設で効果を得ることができ、低コストにて所期の目的を達成することができる。
【発明を実施するための最良の形態】
【００１５】
以下、本発明の実施の形態を図にもとづいて詳細に説明する。なお、従来と同一の構成には同一の符号を付して説明する。
【００１６】
図１は、本発明を実施したディスク装置１であり、ディスクトレイ２は光ディスクＤを収容するため浅皿状に形成されており、その中央に、直下にスピンドルモータ３の駆動軸に固定されたターンテーブル４が配設され、このターンテーブル４のクランプヘッド５により光ディスクＤの中心孔をクランプし、回転力を伝達するようにしている。
【００１７】
符号６はヘッドユニットであり、ディスクトレイ２の裏面に構成された駆動機構によりヘッドユニット全体がディスクトレイ２の直径方向に往復動し、その対物レンズ６ａから光ディスクＤにレーザビームが照射される。ディスクトレイ２の前端には外装を整えるためのベゼル７が装着されており、ディスクトレイ２のロード状態を解除するための押釦８およびインジケータ７ａが表面に臨み、ディスクトレイ２をロードしてロックされた状態を強制的に解除するための通孔７ｂが形成されている。
【００１８】
前記ディスクトレイ２は、両側縁がガイドレール９により遊嵌状態で支持されており、このガイドレール９は、ベースシャーシ１１とカバーシャーシ１２で一体構成されるシャーシケース１０の前記ベースシャーシ１１の側壁に固定された支持レール１３にスライド可能に支持され、シャーシケース１０内でディスクトレイ２の前進後退が可能となるようにしている。
【００１９】
図２は、前記ディスクトレイ２の裏面に構成された電気系部品ならびに機構要素の配置状態を示すもので、ディスクトレイ２の中央部には光ディスクＤを回転駆動するスピンドルモータ３、ヘッドユニット６を光ディスクの半径方向に往復動させる動力源となるスレッドモータ１４およびギヤユニット１５を主体に構成した駆動機構Ａが配置されている。前記ヘッドユニット６は、通常、ダイキャストなどにより成型されたキャリッジに対物レンズ６ａならびにこれを駆動するための機構要素、そして発光素子６ｂから出射されたレーザビームを導く光学ユニットなどを備える。
【００２０】
また、ディスクトレイ２の後部側には半導体集積回路素子Ｓ１・Ｓ２などの電子部品を実装した印刷配線基板ＰＣＢＡ２が配置固定されており、ディスクトレイ２の前端角隅部にはイジェクト／ロック機構Ｂが配設されている。このように構成されたディスクトレイ２の裏面にはボトムカバー１６がネジ止めにより固定され、ディスクトレイ２がアンロードされたとき、裏面に組み込まれた電気系部品および機械要素が外部に露出しないようにするとともに、ディスクトレイ２の外部に発生した静電気、磁気の影響を受けないようにしている。
【００２１】
シャーシケース１０のベースシャーシ１１の後部には半導体集積回路素子Ｓ３・Ｓ４などの電子部品を実装した印刷配線基板ＰＣＢＡ１が配置固定されている。さらに、この印刷配線基板ＰＣＢＡ１にはマルチコネクタＭＣ１が実装され、前記印刷基板ＰＣＢＡ２にはマルチコネクタＭＣ２が実装されている。
【００２２】
図３は、印刷配線基板ＰＣＢＡ１のマルチコネクタＭＣ１と印刷配線基板ＰＣＢＡ２のマルチコネクタＭＣ２とを接続するフレキシブルケーブル２０の形状の例を示す図であり、スクリーン印刷技術により導体パターンを絶縁層で被覆したもので、この絶縁層の材料として通常、ポリイミド、ポリエステル、ポリウレタン、アクリルなどが採用され、フィルム状で柔軟性に富むため、固定部分と可動部分を接続する場合に好適な配線材料となる。
【００２３】
本発明では、このフレキシブルケーブル２０をＵ字状に形成し、端部に形成された端子電極２１を印刷配線基板ＰＣＢＡ１のマルチコネクタＭＣ１に接続し、端子電極２２を印刷配線基板ＰＣＢＡ２のマルチコネクタＭＣ２に接続する。したがった、図１に示すようにシャーシケース１１に実装する場合は、フレキシブルケーブル２０の固定部２０ａとなる部分がシャーシケース１１上に接着剤により固定され、可撓部２０ｂとなる部分は折り返されて湾曲部２０ｃが形成され、ディスクトレイ２の前進後退に伴い前記可撓部２０ｂおよび湾曲部２０ｃは追従して変形することになる。
【００２４】
以上の構成において、本発明では、フレキシブルケーブル２０の可撓部２０ｂがディスクトレイ２の裏面に面接触する位置に、図３に示すように粘着剤Ｗを塗布するようにした。この粘着剤Ｗの塗布は、ディスクトレイ２の裏面の同位置に塗布するようにしてもよく、面接触部の一方または双方に粘着剤を塗布するようにしてもよい。また、粘着剤に代えて粘着テープを貼設することも可能であり、任意に選択し得る。
【００２５】
このように本発明を実施したディスク装置１において、ディスクトレイ２をロード／アンロードした場合のフレキシブルケーブル２０の挙動を図４にもとづいて説明する。なお、図４（Ａ）から図４（Ｇ）へ向かう工程は、ディスクトレイ２をロードする状態を示し、図４（Ｇ）から図４（Ａ）へ向かう工程は、ディスクトレイ２をアンロードする状態を示す。
【００２６】
図４（Ａ）は、イジェクト／ロック機構Ｂによるディスクトレイ２のロックが解除された後、このディスクトレイ２を最大限に引き出し、光ディスクＤの装填が可能となっている状態を示す。このとき、フレキシブルケーブル２０の可撓部２０ｂも最大限に引き出され、ディスクトレイ２とフレキシブルケーブル２０との面接触部が粘着剤または粘着テープの粘着力により保持された状態となる。
【００２７】
図４（Ｂ）は、ディスクトレイ２をシャーシケース１０内へ僅かに進入させた状態であり、シャーシケース１０の開口部に位置したディスクトレイ２の後端部のフレキシブルケーブル２０の可撓部２０ｂは、依然、前記粘着力により保持されており、この可撓部２０ｂが装置外部へ押し出されて露出することはない。
【００２８】
図４（Ｃ）から図４（Ｄ）は、ディスクトレイ２がシャーシケース１０内へ更に進入している状態であり、フレキシブルケーブル２０の可撓部２０ｂは次第にディスクトレイ２の裏面に入り込む状態となる。
【００２９】
図４（Ｅ）は、ディスクトレイ２が図４（Ｄ）の状態からシャーシケース１０内へ更に進入し、フレキシブルケーブル２０の可撓部２０ｂの湾曲部２０ｃがディスクトレイ２とフレキシブルケーブル２０との面接触部に達した状態であり、この状態からディスクトレイ２が図４（Ｆ）に示すようにシャーシケース１０内へ更に進入すると、粘着剤または粘着テープの粘着力により貼着されたフレキシブルケーブル２０の可撓部２０ｂの剥離が始まる。
【００３０】
そして、最終的にディスクトレイ２がシャーシケース１０に収まり、イジェクト／ロック機構Ｂが作動してディスクトレイ２がシャーシケース１０内に保持された図４（Ｇ）に示す状態に至ると、フレキシブルケーブル２０の可撓部２０ｂがディスクトレイ２の裏面から完全に剥離する。
【００３１】
つぎに、図４（Ｇ）の状態からディスクトレイ２をアンロードして図４（Ａ）に至る間のフレキシブルケーブル２０の挙動を説明する。光ディスクＤのドライブが可能となる図４（Ｇ）の状態においてイジェクト／ロック機構Ｂが作動すると、ディスクトレイ２はポップアウトし、図４（Ｆ）の状態で停止する。
【００３２】
前記図４（Ｆ）の状態ではフレキシブルケーブル２０の可撓部２０ｂの一部がディスクトレイ２の裏面と面接触し、粘着力による保持が復元する。そして、ディスクトレイ２のアンロードによりシャーシケース１０から引き出されるに従い、図４（Ｅ）に示すように剥離していた可撓部２０ｂがその張力によりディスクトレイ２の裏面に再び面接触し、粘着剤または粘着テープの粘着力により保持される。
【００３３】
図４（Ｅ）の状態から更にディスクトレイ２が引き出され図４（Ｄ）の状態に至ると、剥離されていたフレキシブルケーブル２０の可撓部２０ｂは完全にディスクトレイ２の裏面に粘着力で保持される。そして、この状態のまま、更にディスクトレイ２が引き出される図４（Ｃ）、図４（Ｂ）の状態を経て、図４（Ａ）に示すように最大限にディスクトレイ２が引き出されると、フレキシブルケーブル２０の可撓部２０ｂはディスクトレイ２の裏面に粘着力で保持され、この状態が維持されることになる。
【００３４】
本発明は、以上のように構成していることから、ディスクトレイ２を最大限に引き出した状態においてフレキシブルケーブル２０の可撓部２０ｂが確実にディスクトレイ２の裏面に保持されることになり、ディスクトレイ２とシャーシケース１０との隙間から前記可撓部２０ｂが露出する不具合を確実に防止することができ、フレキシブルケーブル２０の損傷を防止できる。
【００３５】
なお、上記実施例において塗布する粘着剤は、アクリル系、ゴム系の何れも採用可能であり、粘着テープは、シリコーンゴム（０．０４５ｍｍ）とポリエステルフィルム（０．０２５ｍｍ）を積層した支持体にアクリル系の粘着剤を塗布したものを採用して実験した結果、所期の効果が得られることを確認できた。また、以上に説明した実施例では、ディスクトレイを手動操作により引き出す方式のディスク装置を対象としているが、モータドライブによりディスクトレイを駆動する方式のディスク装置にも適応可能である。
【図面の簡単な説明】
【００３６】
【図１】本発明を実施したディスク装置の斜視図である。
【図２】本発明のディスク装置のディスクトレイの底面斜視図である。
【図３】本発明で実施するフレキシブルケーブルの斜視図である。
【図４】本発明におけるフレキシブルケーブルの挙動を説明する図である。
【図５】ディスク装置を搭載したノート型パソコンの斜視図である。
【図６】ディスク装置の外観を示す斜視図である。
【図７】従来のディスク装置の不具合を説明するための図である。
【符号の説明】
【００３７】
１・・・・・・・ディスク装置
２・・・・・・・ディスクトレイ
３・・・・・・・スピンドルモータ
４・・・・・・・ターンテーブル
５・・・・・・・クランプヘッド
６・・・・・・・ヘッドユニット
７・・・・・・・ベゼル
８・・・・・・・押釦
９・・・・・・・ガイドレール
１０・・・・・・シャーシケース
１１・・・・・・ベースシャーシ
１２・・・・・・カバーシャーシ
１３・・・・・・支持レール
１４・・・・・・スレッドモータ
１５・・・・・・ギヤユニット
１６・・・・・・ボトムカバー
２０・・・・・・フレキシブルケーブル
２０ａ・・・・・固定部
２０ｂ・・・・・可撓部
２０ｃ・・・・・湾曲部
ＰＣＢＡ１・・・印刷配線基板
ＰＣＢＡ２・・・印刷配線基板
ＭＣ１・・・・・マルチコネクタ
ＭＣ２・・・・・マルチコネクタ
【図１】
2006120220.tif 000003
【図２】
2006120220.tif 000004
【図３】
2006120220.tif 000005
【図４】
2006120220.tif 000006
【図５】
2006120220.tif 000007
【図６】
2006120220.tif 000008
【図７】
2006120220.tif 000009